(57)【特許請求の範囲】
【請求項１】
複数のコンテンツデータからコンテンツデータを検索する検索入力装置において、
正方向又は負方向の両方向の回転動作に応じた操作入力信号が生成される回転操作子と、
押込動作に応じた操作入力信号が生成される押込操作子と、
上記回転操作子の回転量に応じた記録位置に記録されたコンテンツデータを抽出する制御手段とを備え、
上記制御手段は、上記押込操作子の押込動作により検索範囲の尺度を決定し、上記決定された検索範囲の尺度を常に上記回転操作子の１回転に割り当てて、該回転操作子の回転量に応じた記録位置に記録されたコンテンツデータを抽出する制御を行い、
上記検索範囲は、上記コンテンツデータの時間的範囲であり、上記制御手段は、上記押込操作子に対する押込動作により検索範囲の尺度を年、月、日、時間単位に変更し、上記年、月、日、時間を常に上記回転操作子の１回転に割り当てて上記回転操作子の回転量に応じた時間情報を有するコンテンツデータを抽出する
検索入力装置。
【請求項２】
上記制御手段は、上記検索範囲を１コンテンツの開始から終了までとし、上記回転操作子の１回転が１コンテンツの長さに対応づけられる請求項１記載の検索入力装置。
【請求項３】
上記制御手段は、上記検索範囲を最初のコンテンツの開始から最後のコンテンツの終了までとし、上記回転操作子の１回転が全コンテンツの長さに対応づけられる請求項１記載の検索入力装置。
【請求項４】
上記制御手段は、上記指定された時間情報に近い時間情報をもつコンテンツデータを抽出する請求項１記載の検索入力装置。
【請求項５】
複数のコンテンツデータからコンテンツデータを検索する検索方法において、
押込操作子の押込動作により検索範囲の尺度を決定する工程と、
上記押込動作により決定された検索範囲の尺度を常に回転操作子の１回転に割り当てる工程と、
上記回転操作子の回転量に応じた記録位置に記録されたコンテンツデータを抽出する工程とを有し、
上記検索範囲は、上記コンテンツデータの時間的範囲であり、上記コンテンツデータを抽出する工程では、上記押込動作により検索範囲の尺度が年、月、日、時間単位で変更され、上記年、月、日、時間を常に上記回転操作子の１回転に割り当てて上記回転操作子の回転量に応じた時間情報を有するコンテンツデータを抽出する
検索方法。
【請求項６】
上記検索範囲は、１コンテンツの開始から終了までであり、上記回転操作子の１回転が１コンテンツの長さに対応づけられる請求項５記載の検索方法。
【請求項７】
上記検索範囲は、最初のコンテンツの開始から最後のコンテンツの終了までであり、上記回転操作子の１回転が全コンテンツの長さに対応づけられる請求項５記載の検索方法。
【請求項８】
複数のコンテンツデータを記録し蓄積するとともに該蓄積されたコンテンツデータからコンテンツデータを検索して再生する記録再生装置において、
コンテンツデータを記録するデータ記録手段と、
コンテンツデータを蓄積するデータ蓄積手段と、
コンテンツデータを再生するデータ再生手段と、
正方向又は負方向の両方向の回転動作に応じた操作入力信号が生成される回転操作子と、
押込動作に応じた操作入力信号が生成される押込操作子と、
上記回転操作子の回転量に応じた記録位置に記録されたコンテンツデータを抽出する制御手段とを備え、
上記制御手段は、押込動作により検索範囲の尺度を決定し、上記決定された検索範囲の尺度を常に上記回転操作子の１回転に割り当てて、該回転操作子の回転量に応じた記録位置に記録されたコンテンツデータを抽出する制御を行い、上記データ再生手段は、上記抽出されたコンテンツデータを再生し、
上記検索範囲は、上記コンテンツデータの時間的範囲であり、上記制御手段は、上記押込操作子に対する押込動作により検索範囲の尺度を年、月、日、時間単位に変更し、上記年、月、日、時間を常に上記回転操作子の１回転に割り当てて上記回転操作子の回転量に応じた時間情報を有するコンテンツデータを抽出する
記録再生装置。
【請求項９】
上記コンテンツデータは音声データである請求項８記載の記録再生装置。
【請求項１０】
上記制御手段は、上記検索範囲を１コンテンツの開始から終了までとし、上記回転操作子の１回転が１コンテンツの長さに対応づけられる請求項８記載の記録再生装置。
【請求項１１】
上記制御手段は、上記検索範囲を最初のコンテンツの開始から最後のコンテンツの終了までとし、上記回転操作子の１回転が全コンテンツの長さに対応づけられる請求項８記載の記録再生装置。
【請求項１２】
発光手段を備え、光量又は光色によってコンテンツデータの記録の有無又はデータ量を示す請求項８記載の記録再生装置。
【請求項１３】
当該記録再生装置本体は、略円形を有し、上記制御手段は、上記本体外周の１周を上記データ蓄積手段の全格納容量に見立てて該データ蓄積手段の使用量を上記発光手段の発光領域によって表現する請求項１２記載の記録再生装置。
【発明の詳細な説明】
【技術分野】
【０００１】
本発明は、記録媒体又はネットワーク上等に蓄積されたコンテンツの検索及び／又は選択を行う検索入力装置及び検索方法に関する。また、この検索方法を適用した記録再生装置に関する。
【背景技術】
【０００２】
デジタル化技術の普及に伴い、音楽データ、映像データ等からなる各種コンテンツデータがデジタル的に記録媒体に記録又は再生できるようになった。近年では、ＤＶＤ（Digital Versatile Disc）、ＨＤＤ（Hard Disc Drive）等をはじめとする記録媒体（ストレージメディアという）の大容量化、またデジタルカメラ、デジタルビデオカメラ等のデジタル機器の普及が進み、ユーザは、膨大な量の音楽データ、映像データ、静止画像データといったあらゆるコンテンツデータをストレージメディアに蓄積できえるようになるとともに、これら大量のデータをＰＣ等により簡単に管理できるようになってきた。
【０００３】
しかし、ハードディスク等のストレージメディアの大容量化が進むにつれて記録できるデータの規模も増加するが、このような数百時間分も映像データ、或いは数千曲数万曲分の音楽データともなると、一旦、ストレージメディアに記録したコンテンツデータを検索して抽出するのが困難になる。
【０００４】
一般的に、コンテンツデータ等の抽出は、ユーザが所望する情報に関連するキーワードを入力すると、このキーワードに対応する情報を検索することで行われる。例えば、特許文献１には、楽曲を検索するキーワードとして楽曲に対する歌詞文字列の中の単語を使用してユーザ所望の楽曲を検索する技術が開示されている。また、ＩＣレコーダに記録された一連の音声データから特定話者の会話位置を検索可能にする技術が特許文献２に開示されている。
【０００５】
【特許文献１】特開２００５−１７４４９６号公報
【特許文献２】特開２００５−４５７６号公報
【発明の開示】
【発明が解決しようとする課題】
【０００６】
上述したように、大量のコンテンツデータを蓄積することができる記録装置では、大量のコンテンツデータの中からユーザが所望とする情報を容易に検索、抽出できるように、キーワード等の検索のための情報を積極的に用意しておく必要があった。特に、監視カメラのように記録を続ける装置では、日常の映像や音声を記録し続ける処理を行っているため、積極的にファイル名、その他のデータに関連する情報を記録することができない。そのため、記録後のデータを検索する際、ユーザは、再生したデータを実際にみながら検索しなければならなかった。これは例えば、音楽データであれば１曲、映像データであれば、１つのコンテンツ内の検索であっても同様である。
【０００７】
このように、従来のデータの検索方法では、検索時に使用するキーワード、インデックス等を積極的に記録し、またこれらを予め用意し、データを検索するための情報と合わせて整然と管理しておかなくては、大量に格納されたコンテンツの中から特定の１つを抽出することは困難であった。また、検索キーワードを入力するステップ等が必要であり、検索のための操作入力が煩雑になるという問題もあった。
【０００８】
また、ユーザがある特定のコンテンツデータを抽出したい場合、すなわち、検索対象が明確な場合には、従来のように、当に所望のコンテンツデータを抽出するための検索キーワードを入力すればよいが、実際には、検索対象が明確な場合ばかりではなく、単に漠然とコンテンツデータを閲覧したいという要望もある。
【０００９】
そこで本発明は、上述した従来の実情に鑑みて提案されたものであり、単純な操作性を実現することにより、ユーザが直感的に記録媒体に記録されたコンテンツを検索可能とする検索入力装置及び検索方法、及び記録再生装置を提供することを目的とする。
【課題を解決するための手段】
【００１０】
上述した目的を達成するために、本発明は、複数のコンテンツデータからコンテンツデータを検索する検索入力装置において、正方向又は負方向の両方向の回転動作に応じた操作入力信号が生成される回転操作子と、押込動作に応じた操作入力信号が生成される押込操作子と、上記回転操作子の回転量に応じた記録位置に記録されたコンテンツデータを抽出する制御手段とを備え、上記制御手段は、上記押込操作子の押込動作により検索範囲の尺度を決定し、上記決定された検索範囲の尺度を常に上記回転操作子の１回転に割り当てて、該回転操作子の回転量に応じた記録位置に記録されたコンテンツデータを抽出する制御を行い、上記検索範囲は、上記コンテンツデータの時間的範囲であり、上記制御手段は、上記押込操作子に対する押込動作により検索範囲の尺度を年、月、日、時間単位に変更し、上記年、月、日、時間を常に上記回転操作子の１回転に割り当てて上記回転操作子の回転量に応じた時間情報を有するコンテンツデータを抽出する。
【００１１】
制御手段は、検索範囲を１コンテンツの開始から終了までとし、回転操作子の１回転は、１コンテンツの長さに対応づけられる。また、制御手段は、検索範囲を最初のコンテンツの開始から最後のコンテンツの終了までとしてもよい。検索範囲は、コンテンツデータの時間的範囲であり、制御手段は、押込操作子に対する押込動作により検索範囲の尺度を年、月、日、時間単位に変更し、年、月、日、時間を常に回転操作子の１回転に割り当てて、回転操作子の回転量に応じた時間情報を有するコンテンツデータを抽出する。
【発明の効果】
【００１２】
本発明によれば、単純な操作性により、ユーザが記録媒体或いはネットワーク上に存在するコンテンツを直感的に検索できる。
【発明を実施するための最良の形態】
【００１３】
以下、本発明の実施の形態として示す検索入力装置について図面を用いて詳細に説明する。本発明の実施の形態として示す検索入力装置の一例を図１及び図２に示す。検索入力装置１を上面からみたところを図１に示し、検索入力装置１の断面図を図２に示す。
【００１４】
検索入力装置１は、略円形椀状の本体部２と、本体部２と略同形状に形成されたカバー３とを備えている。カバー３は、内径が本体部２の外径よりも僅かに大に形成され、カバー３の内周面３ａが本体部２の外周側面２ａに対して、図示しない回転送り機構等を介して摺動可能又は回動可能に取り付けられている。また、カバー３と本体部２の間には、押し込みを検出する機構２ｂが設けられ、カバー３が上部より若干押し下げられたとき、そのクリック動作を検出することができるようになっている。また、本体部２に対するカバー３の回転量は、ローテーションセンサ、静電センサ、光センサ等のセンサ２ｃにより検出される。このように、カバー３と本体部２は、正方向又は負方向の両方向に回転動作して操作入力信号を生成する回転操作子、また、押込動作に応じて操作入力信号を生成する押込操作子を構成しており、カバー３は、本体部２を保護するとともに入力部を兼ねている。
【００１５】
上述した構成により、検索入力装置１は、図３（ａ）に示す、矢印Ａ方向にカバー全体を押し込むクリック動作と、図３（ｂ）に示す、カバー３を本体部２に対して矢印Ｂのように回転させる回転動作とに応じた操作入力信号を生成することができる。
【００１６】
カバー３は、ディスプレイ４を備えている。ディスプレイ４としては、カラー又は白黒の液晶ディスプレイ（ＬＣＤ：Liquid Crystal Display）を用いることができる。このディスプレイ４には、少なくとも年、月、日、時間が表示される。また、図２に示すように、カバー３は、側面に発光ダイオード（以下、ＬＥＤ）５等の発光部材を備えている。また、カバー３には、中立位置を明確にするための凸部６が設けられている。この検索入力装置１は、本体部２内部に装備された回路部から延長された接続線７により、コンテンツデータが蓄積されたＰＣ、サーバ等の機器に接続することができる。本実施の形態では、説明を簡潔にするため、コンテンツデータが音声データ又は楽曲データであるとして説明する。また、この音声データ又は楽曲データは、ＰＣ、サーバ等の機器に取得された時間を示す時間情報、或いは作成された時間を示す時間情報とともに蓄積されている。
【００１７】
続いて、検索入力装置１の構成を図４を用いて説明する。検索入力装置１は、ユーザからの入力を受け付ける上述した本体部２とカバー３とで構成される回転操作子、押込操作子に相当する操作部１０と、上述のディスプレイ４、カバー側面に設けられたＬＥＤ５等に相当する表示部１１と、ＰＣ、サーバ等の外部機器に接続するためのインタフェイス（Ｉ／Ｆ）１２とを備え、これらが制御部１３によって統括制御されている。
【００１８】
操作部１０は、図１を用いて説明した本体部２とカバー３とで構成される回転操作子、押込操作子に相当し、ローテーションセンサ等の回転量に応じた操作入力信号を制御部１３に供給する。また、表示部１１は、制御部１３から供給される制御信号に基づいて、ディスプレイ４の表示内容を変更したり、時間表示を行ったりする。また、制御部１３から供給される制御信号に基づいてカバー側面のＬＥＤ５を発光する。Ｉ／Ｆ１２としては、いわゆるＵＳＢ（Universal Serial Bus）等が使用できる。
【００１９】
制御部１３は、カバー３と本体部２とで構成される回転操作子の回転量で表される記録位置に記録されたコンテンツデータを抽出する制御を行っている。ここでの記録位置情報は、Ｉ／Ｆ１２を介してＰＣ等に送られ、ＰＣ等のＨＤＤ（Hard Disk Drive）等の蓄積部から抽出される。制御部１３は、カバー３のクリック動作により検索範囲の尺度を決定する。また、制御部１３は、決定された検索範囲の尺度を常にカバー３の本体部２に対する１回転に割り当て、この回転量に応じた記録位置に記録されたコンテンツデータを抽出する制御信号を生成している。
【００２０】
ここで、検索範囲の尺度を変更するとは、例えば、扱われるコンテンツデータが音声データ（又は楽曲データ）であるとき、カバー３のクリック動作に応じて、検索範囲を１コンテンツの開始から終了まで、すなわち曲の開始から終了までを検索範囲とする場合と、検索範囲を最初のコンテンツの開始から最後のコンテンツの終了まで、すなわち複数の曲で構成される１アルバムの最初から最後までを検索範囲とする場合とが切り換えられることを意味している。前者の場合、カバー３の１回転が１コンテンツの長さに対応づけられる。したがって、このとき、カバー３が半回転されれば曲の中程が再生開始位置として選択されるし、カバー３が三分の一回転されれば曲の三分の一程度進んだ辺りが再生開始位置として選択される。また、後者の場合には、カバー３の１回転が１アルバムに対応づけられる。したがって、カバー３が半回転されれば、アルバムの中程に記録された曲が選択される。
【００２１】
以下、本発明の本実施の形態として示す検索入力装置１によりコンテンツデータを検索する方法の一例について、図５（ａ）〜（ｄ）を用いて説明する。図５は、検索入力装置１におけるディスプレイ４を拡大表示したものである。ディスプレイ４には、はじめに、現在時刻が表示されている。
【００２２】
このとき、例えば、カバー３を押し込むクリック動作が行われると、ディスプレイ４に表示されている日付情報が次のように切り替わる。１度クリックされると、例えば、年「０４」が強調表示される。例えば、選択された数字の周囲に枠を表示したり、他の数字と異なる色で表示したりする。
【００２３】
図５（ａ）に示すように、「年」が選択されているとき、カバー３が回転されると、「年」欄に表示される数字が変化する。「年」が選択されたときには、制御部１３は、カバー３の１回転を記録された全コンテンツの総量に対応づける。すなわち、制御部１３は、探索範囲を全記録容量に対して現在記録によって使用している全容量としてカバー３の１回転に対応づける。次に、カバー３がクリックされると、図５（ｂ）に示すように、ディスプレイ４に表示されている日付情報の月「０７」が強調表示される。制御部１３は、探索範囲を現在の日付以前の１２ヶ月としカバー３の１回転に対応づける。すなわち、このときの探索範囲でカバー３が半回転されれば、現在表示されている日付を起点とする６ヶ月前の時間情報が入力され、この時間情報を有する音声データ又は楽曲データを抽出することができる。
【００２４】
次にカバー３がクリックされると、図５（ｃ）に示すように、ディスプレイ４に表示されている日付情報の日「０８」が強調表示される。制御部１３は、探索範囲を現在の日付以前の１ヶ月（２８日から３１日間）とし、カバー３の１回転に対応づける。すなわち、この探索範囲において、カバー３が半回転されれば、現在表示されている日付を起点とした１５日前の時間情報が入力され、この時間情報を有する音声データ又は楽曲データを抽出することができる。
【００２５】
再度カバー３がクリックされたときには、図５（ｄ）に示すように、ディスプレイ４に表示されている日付情報の時刻「１５」が強調表示される。制御部１３は、探索範囲を現在の時刻以前の２４時間としカバー３の１回転に対応づける。すなわち、このときカバー３が半回転されれば、現在表示されている時刻を起点とする１２時間前の時刻情報が入力され、対応する音声データ又は楽曲データを抽出することができる。
【００２６】
制御部１３は、上述した検索方法によって指定された時間情報をもつコンテンツデータがないと再生されないため、指定された時間情報に最も近い時間情報をもつコンテンツデータを抽出するようにしてもよい。
【００２７】
また、図６に、発光ダイオード（ＬＥＤ）等を用いて、その光量又は光色によってコンテンツデータの記録の有無又はデータ量を表すようにした例を示す。図６に示すように、ある検索範囲において（図６では１回転が１２ヶ月になっている）、音声データ又は楽曲データが記録されているか否か、またその量をカバー３の側周面に設けられたＬＥＤ５の点灯、光量、色等によって表示することもできる。ある時期における楽曲データのダウンロード頻度又は取得頻度が高かった場合、その時期の時刻情報を有するデータが相対的に多くなる。例えば、図６の例では、１周１２ヶ月のうち、濃く発光している領域Ｓ１と点灯していない領域Ｓ２と、薄く発光している領域Ｓ３とがある。ＬＥＤ５が点灯していない領域は、１周を１２ヶ月としたとき、この期間、すなわち凸部６を今日とする直前の３ヶ月前に新たに取得された楽曲データがないことを示し、濃く発光している４ヶ月〜６ヶ月前、及び９ヶ月〜１２ヶ月前は、この期間の時間情報を有する楽曲データが比較的多く取得されたことを示している。このように、検索入力装置１は、ディスプレイ４のほかＬＥＤ５によってユーザに対して可視的に表示することで、ユーザはより直感的な操作が行える。
【００２８】
ＬＥＤを用いた表示のしかたとしては、このほかに、全記録容量に対する現在使用中の領域の割合を発光で表現する方法がある。例えば、図７は、１周を全記録容量と見立てたとき、記録容量のどの程度を使用しているかを視覚的に表したものである。図７では、発光領域Ｓ４によって表されている使用量が全体の４分の３であり、空き領域が４分の１であることを視覚的に表している。
【００２９】
以上説明したように、制御部１３は、カバー３のクリック動作により、検索範囲の尺度を年、月、日、時間単位に変更し、その都度、年、月、日、時間をカバー３の１回転に割り当てることにより、その選択された検索範囲において回転量に応じた時間情報を有するコンテンツデータを抽出する操作入力信号を生成することができる。また、検索範囲の尺度を必ずカバー３の１回転に対応づけるため、例えば、１回転が１日であるときには、半回転は半日前を表すので、ユーザは、昨日のこの時間、過去の今日という時間情報に対応するコンテンツデータをより直感的な操作で選択することができる。尺度が「年」のときには、１回転すると１年前の今日と同じ時間情報をもつコンテンツを選択できる。同様に、２回転すると２年前の今日と同じ時間情報をもつコンテンツを選択できる。
【００３０】
このように本発明の実施の形態として示す検索入力装置１によれば、検索のためのキーワード等を使用しない検索が可能である。また、例えば、日記等のように、過去の今日、過去のいつといった検索が即時的に可能である。
【００３１】
上述した検索入力装置１を用いた検索方法は、検索のときに使用できる指標としてのファイルネーム、ファイル属性等を付与することができないデータを検索する際に特に有利である。例えば、タイムスタンプのみが付されるようなデータであって、あえて改めて指標を付けることができないようなファイルに好適に用いることができる。例えば、監視カメラのように、環境音のデータ、環境の映像データ等を絶えず取得し続けるように作られた記録装置では、その都度、特定のファイル名を付けて記録することができない。このような場合に、検索入力装置１を使用することによって、検索のためのキーワード等を使用しない時間的情報のみに基づいた簡潔且つ効率的な検索が行える。
【００３２】
次に、本発明の別の実施の形態について説明する。検索入力装置１は、ＰＣ、サーバ等に蓄積されたコンテンツデータを検索するユーザインターフェイスデバイスとして説明したが、検索入力装置自体が記録媒体と記録再生手段を備えていてもよい。図８に示す記録再生装置２０において、図４と同様の機能を有する構成に関しては、説明を簡潔にするため、同一番号を付けて詳細な説明を省略する。
【００３３】
以下、本発明の実施の形態として示す記録再生装置２０について図面を用いて詳細に説明する。外観は、図１に示した検索入力装置１と同様でよい。すなわち、略円形の本体部２と、本体部２と略同形状に形成されたカバー３とを備え、カバー３は、内径が体部２の外径よりも僅かに大に形成され、本体部２に対して摺動可能に、或いは回転送り機構等を介して回動可能に取り付けられている。また、カバー３と本体部２の間には、押し込みを検出する機構が設けられ、カバー３が上部より若干押し下げられたとき、そのクリック動作を検出することができるようになっている。本体部２に対するカバー３の回転量は、ローテーションセンサ、静電センサ、光センサ等により検出される。このように、カバー３と本体部２は、正方向又は負方向の両方向に回転動作して操作入力信号を生成する回転操作子、また、押込動作に応じて操作入力信号を生成する押込操作子を構成している。なお、ここでは、コンテンツデータとして音声データ又は楽曲データを扱う場合について説明するが、この限りではない。
【００３４】
記録再生装置２０は、図１乃至図４を用いて説明した検索入力装置１と同様に、ユーザからの入力を受け付ける上述した本体部２とカバー３とで構成される回転操作子、押込操作子に相当する操作部１０と、上述のディスプレイ４、カバー側面に設けられたＬＥＤ５等に相当する表示部１１と、ＰＣ、サーバ等の外部機器に接続するためのインタフェイス（Ｉ／Ｆ）１２とを備えている。
【００３５】
そして、記録再生装置２０は、更に、コンテンツデータを蓄積する大容量のＨＤＤ２１と、外部から音声データを取得するマイク２２と、マイク２２によって取得したアナログの音声信号をデジタル信号に変換するＡ／Ｄ変換器２３と、デジタル化された音声信号を、例えば、ＭＰ３、ＡＴＲＡＣ（登録商標）等から選択されるデータフォーマットに変換するための音声処理部２４を備える。なお、データの蓄積手段としては、ＨＤＤに限定されることなく、他のディスク状記録媒体、半導体メモリ装置であってもよい。また、着脱可能とされていてもよい。データ圧縮方法も上記フォーマットに限定されない。
【００３６】
また、外部に音声を出力するための構成としてアンプ部２５、スピーカ２６を備えていてもよい。以上の各構成が制御部１３によって統括制御されている。
【００３７】
このように、検索入力装置１によって実行される検索操作が可能な、完結した記録再生装置２０を実現することもできる。
【図面の簡単な説明】
【００３８】
【図１】本発明の実施の形態として示す検索入力装置の外観を説明する上面図である。
【図２】上記検索入力装置を説明する断面図である。
【図３】（ａ）は、上記検索入力装置の押込動作を説明する概略図であり、（ｂ）は、上記検索入力装置の回転動作を説明する概略図である。
【図４】上記検索入力装置を説明する構成図である。
【図５】上記検索入力装置のディスプレイ４を用いてコンテンツデータの検索を説明する模式図である。
【図６】上記検索入力装置において音声データ又は楽曲データが記録されているか否か、またその量をＬＥＤの点灯、光量、色等によって表示する例を説明する模式図である。
【図７】全記録容量に対して使用している領域の割合を発光部分によって表現している例を説明する模式図である。
【図８】上記検索入力装置を応用した記録再生装置を説明する構成図である。
【符号の説明】
【００３９】
１    検索入力装置、  ２    本体部、  ３    カバー、  ４    ディスプレイ、  ５    ＬＥＤ、  ６    マーク、  ７    接続線、  １０    操作部、    １１    表示部、  １２    Ｉ／Ｆ、  １３    制御部
【図１】
0004631580.tif 000002
【図２】
0004631580.tif 000003
【図３】
0004631580.tif 000004
【図４】
0004631580.tif 000005
【図５】
0004631580.tif 000006
【図６】
0004631580.tif 000007
【図７】
0004631580.tif 000008
【図８】
0004631580.tif 000009